(57)【要約】【課題】放送チャンネルのサーチを好適に行うことができるようにする。【解決手段】本発明に係る情報処理装置に適用可能な携帯電話機においては、地上波ディジタルワンセグ受信部は放送波を受信し、主制御部は、受信された放送波を記録し、放送波を記録する際の指定放送地域を設定し、地上波ディジタルワンセグ受信部により放送波を受信できない場合に、指定放送地域が設定されているか否かを判定し、地上波ディジタルワンセグ受信部により放送波を受信するチャンネルをサーチする。【選択図】  図５
2008124744.tif 000002
【特許請求の範囲】
【請求項１】
放送波を受信する受信手段と、
前記受信手段により受信された前記放送波を記録する記録手段と、
前記記録手段により前記放送波を記録する際の指定放送地域を設定する設定手段と、
前記受信手段により前記放送波を受信できない場合に、前記設定手段により前記指定放送地域が設定されているか否かを判定する判定手段と、
前記受信手段により前記放送波を受信する際のチャンネルをサーチするサーチ手段とを備えることを特徴とする情報処理装置。
【請求項２】
前記判定手段により、前記設定手段により前記指定放送地域が設定されていると判定された場合、前記サーチ手段は、前記受信手段により前記放送波を受信するチャンネルをサーチし、
前記判定手段により、前記設定手段により前記指定放送地域が設定されていないと判定された場合、前記サーチ手段は、前記受信手段により前記放送波を受信するチャンネルをサーチしないことを特徴とする請求項１に記載の情報処理装置。
【請求項３】
前記受信手段により前記放送波を受信できない場合に、受信に失敗したことに関するデータである受信失敗データを生成する生成手段と、
前記生成手段により生成された前記受信失敗データを記憶する記憶手段と、
前記記録手段により記録された前記放送波を視聴する際に、前記記憶手段により記憶されている前記受信失敗データに基づいて受信失敗ダイアログを表示する表示手段とをさらに備えることを特徴とする請求項１に記載の情報処理装置。
【発明の詳細な説明】
【技術分野】
【０００１】
本発明は情報処理装置に係り、特に、地上波ディジタル放送波や地上波ディジタルワンセグ放送波を受信することができるようにした情報処理装置に関する。
【背景技術】
【０００２】
最近、地上波ディジタル放送が開始され、それに伴い、例えば携帯電話機に代表される携帯端末において主に利用される地上波ディジタルワンセグ放送も開始されている。例えば携帯電話機において地上波ディジタルワンセグ放送を利用する場合、以下のような処理が実行される。
【０００３】
すなわち、第１に、地上波ディジタルワンセグ放送波の録画処理を開始するとき、携帯電話機は、ユーザにより操作キーが操作されることにより入力された録画日、録画する放送チャンネル、録画開始時刻、録画終了時刻などの録画条件に関する入力データに基づいて、録画条件を設定する。第２に、携帯電話機は、設定された録画開始時刻になると、地上波ディジタルワンセグ受信部を起動し、地上波ディジタルワンセグ受信部を介して、地上波ディジタルワンセグ放送波を受信し、受信された地上波ディジタルワンセグ放送波を録画する。
【０００４】
しかし、例えば携帯電話機などの携帯端末は、固定した場所で地上波ディジタル放送波を受信する例えば家庭用ビデオ機器などと異なり、ユーザにより持ち運び可能であるというと特性を有することから、携帯電話機などで地上波ディジタルワンセグ放送波を録画する際に、録画前の確認や録画中の録画処理中に地上波ディジタルワンセグ放送波を受信することができない場合がある。
【０００５】
そこで、録画処理中に地上波ディジタルワンセグ放送波を受信することができなかった場合に放送チャンネルをサーチする技術が提案されている（例えば、特許文献１および２参照）。
【０００６】
特許文献１に提案されている技術によれば、入力部から録画または視聴の予約が入力されると、周波数チャンネル選局部が受信可能な放送波を指定された周波数チャンネルを用いて選局し、指定された周波数チャンネルで受信可能な放送波を選局できない場合、選局制御部が周波数チャンネル選局部、放送解析部、およびサービスチャンネル選局部を制御し、チャンネルサーチを行い、受信可能な放送波を受信して取得するようにしたので、放送地域を越えて移動する場合でも、位置情報を用いることなく、現在地における放送波を高い確率で受信して取得することができる。
【０００７】
また、特許文献２に提案されている技術によれば、再生予約されたＴＶ放送番組の受信を開始する前に、情報処理装置の位置情報を取得するように位置情報取得部を制御し、この位置情報に適合する番組情報を用いてＴＶ放送番組を受信するように放送受信部を制御するようにしたので、予約時点と、受信時点での所在地域が異なっている場合でも、ユーザが指定した通りの番組を受信することができる。
【特許文献１】特開２００６−１０８７３７号公報
【特許文献２】特開２００６−２００１０号公報
【発明の開示】
【発明が解決しようとする課題】
【０００８】
ところで、例えば携帯電話機などに代表される携帯端末において地上波ディジタルワンセグ放送波を受信して視聴処理または録画処理を実行する場合、上述したように、ユーザによる携帯端末の持ち運び（移動）に伴い発生する受信困難な状況（例えば、放送地域を跨ぐような持ち運び（移動）に伴い発生する受信できない状況など）においても良好な視聴処理または録画処理を実行することに重点が置かれたり、あるいは、携帯端末に内蔵された電池が切れて録画処理ができない状況を防止することに重点が置かれたりする。
【０００９】
しかしながら、例えば携帯電話機の場合、同一の放送地域内のユーザによる持ち運び（移動）であったとしても、その持ち運び（移動）により地上波ディジタルワンセグ放送波を受信できない状況も発生しうる。
【００１０】
すなわち、ユーザによる携帯電話機の持ち運び（移動）に伴い、携帯電話機が地下街やビルの陰、トンネルの中などに入ると、同一の放送地域内に存在するにもかかわらず、地上波ディジタルワンセグ放送波を受信することができなくなってしまう。
【００１１】
このような状況下においては、特許文献１および２に提案されている技術を用いて放送チャンネルのサーチを繰り返し行ったとしても、地上波ディジタルワンセグ放送波もＧＰＳ波も受信することはできないため、結局、放送チャンネルを設定することはできず、無駄に電池を消耗してしまうという課題があった。
【００１２】
また、携帯電話機において地上波ディジタルワンセグ放送波を受信することができない場合に放送チャンネルのサーチを繰り返し行うと、間違って隣接する放送地域の弱い放送波を受信してしまう可能性も考えられ、ユーザが所望する放送チャンネルを良好に受信できない状況が発生してしまう。
【００１３】
勿論、ＧＰＳ波を用いて放送チャンネルをサーチする場合には、このような間違いは考えにくいが、一般にＧＰＳ波を受信できない状況は、地上波ディジタルワンセグ放送波を受信できない状況よりも高頻度で発生する。
【００１４】
そこで、基地局から取得する基地局コードを用いて携帯電話機の位置を算出し、算出された位置を用いて放送チャンネルをサーチすることも考えられるが、放送地域と基地局のエリアとは無関係であるため、必ずしも正確に放送地域を把握し、その放送地域における所望の放送チャンネルに設定することができるとは限らない。
【００１５】
本発明は、このような状況に鑑みてなされたものであり、放送チャンネルのサーチを好適に行うことができる情報処理装置を提供することを目的とする。
【課題を解決するための手段】
【００１６】
本発明の情報処理装置は、上述した課題を解決するために、放送波を受信する受信手段と、受信手段により受信された放送波を記録する記録手段と、記録手段により放送波を記録する際の指定放送地域を設定する設定手段と、受信手段により放送波を受信できない場合に、設定手段により指定放送地域が設定されているか否かを判定する判定手段と、受信手段により放送波を受信するチャンネルをサーチするサーチ手段とを備えることを特徴とする。
【００１７】
本発明の情報処理装置においては、放送波が受信され、受信された放送波が記録され、放送波を記録する際の指定放送地域が設定され、放送波を受信できない場合に、指定放送地域が設定されているか否かが判定され、放送波を受信する際のチャンネルが必要に応じてサーチされる。
【発明の効果】
【００１８】
本発明によれば、放送チャンネルのサーチを好適に行うことができる。
【発明を実施するための最良の形態】
【００１９】
以下、本発明の実施の形態について、図面を参照しながら説明する。
【００２０】
図１は、本発明に係るネットワークシステム１の全体の構成を表している。
【００２１】
図１に示されるように、ネットワークシステム１には、放送局３が所定の場所に設置されており、この放送局３は、所定の範囲内において地上波ディジタルワンセグ放送波と地上波ディジタル放送波を送信する。本発明に係る情報処理装置に適用可能な携帯電話機２は、内蔵される地上波ディジタルワンセグ受信部（例えば図４の地上波ディジタルワンセグ受信部５０）を介して、この放送局３からの地上波ディジタルワンセグ放送波を受信する。
【００２２】
また、ネットワークシステム１には、ＧＰＳ放送局４が所定の場所に設置されており、携帯電話機１は、内蔵されるＧＰＳ受信部（例えば図４のＧＰＳ受信部５１）を介して、ＧＰＳ放送局４からのＧＰＳ波（ＧＰＳ情報）を受信する。
【００２３】
さらに、ネットワークシステム１には、通信サービスの提供エリアを所望の大きさに分割したセル内にそれぞれ固定無線局である基地局５が設置されている。この基地局５には、移動無線局である携帯電話機２が例えばＷ−ＣＤＭＡ（Wideband-Code Division Multiple Access）と呼ばれる符号分割多元接続方式によって無線接続されており、例えば２［ＧＨｚ］の周波数帯の５［ＭＨｚ］帯域を利用して静止時に２［Ｍｂｐｓ］、移動時に３８４［Ｋｂｐｓ］のデータ転送速度で大容量データを高速にデータ通信することができる。
【００２４】
このように携帯電話機２は、Ｗ−ＣＤＭＡ方式によって大容量データを高速にデータ通信できることにより、音声通話だけでなく電子メールの送受信、簡易ホームページの閲覧、画像の送受信等の多種に及ぶデータ通信を実行できる。
【００２５】
また、基地局５は、有線回線を介して公衆回線網６に接続されており、公衆回線網６には、インターネットサービスプロバイダのアクセスサーバ７が接続されている。アクセスサーバ７には、ネットワーク８（例えば、インターネット、ＬＡＮ（Local Area Network）、ＷＡＮ（Wide Area Network）、その他の各種のネットワークを含む）を介して種々のコンテンツサーバ（図示せず）が接続されている。
【００２６】
さらに、ネットワーク８には無線ＬＡＮ９が接続されており、携帯電話機２は、無線ＬＡＮ９のアクセスポイント１０を介して近距離大容量通信を行うことができる。
【００２７】
図２は、本発明に係る情報処理装置として適用可能な携帯電話機２の外観の構成を表している。なお、図２［Ａ］は、携帯電話機２を約１８０度に見開いたときの正面から見た外観の構成を表しており、図２［Ｂ］は、携帯電話機２を見開いたときの側面から見た外観の構成を表している。
【００２８】
図２［Ａ］および［Ｂ］に示されるように、携帯電話機２は、中央のヒンジ部１１を境に第１の筐体１２と第２の筐体１３とがヒンジ結合されており、ヒンジ部１１を介して矢印Ｘ方向に折り畳み可能に形成される。携帯電話機２の内部の所定の位置には、送受信用のアンテナ（後述する図４のアンテナ４４）が設けられており、内蔵されたアンテナを介して基地局５との間で電波を送受信する。
【００２９】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００３０】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられた液晶ディスプレイ１７に表示されている電話帳リストや電子メールのスクロール動作、簡易ホームページのページ捲り動作および画像の送り動作などの種々の動作を実行する。
【００３１】
また、確定キーを押下することにより、種々の機能を確定することができる。例えば第１の筐体１２は、ユーザによる十字キーの操作に応じて液晶ディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００３２】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。なお、十字キーと確定キーの左右隣に設けられた電子メールキーおよびブラウザキーは、液晶ディスプレイ１７に表示される画面により例えば「Yes」や「No」などの種々の機能をもつことが可能であるため、それぞれ、soft１キーおよびsoft２キーと呼ばれる。
【００３３】
また、第１の筐体１２には、操作キー１４の下部にマイクロフォン１５が設けられており、マイクロフォン１５によって通話時のユーザの音声を集音する。また、第１の筐体１２には、携帯電話機２の操作を行うサイドキー１６が設けられている。
【００３４】
なお、第１の筐体１２は、背面側に図示しないバッテリパックが挿着されており、終話・電源キーがオン状態になると、バッテリパックから各回路部に対して電力が供給されて動作可能な状態に起動する。
【００３５】
一方、第２の筐体１３には、その正面に液晶ディスプレイ１７（メインディスプレイ）が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図３のＣＣＤカメラ２１）で撮像した画像、外部のコンテンツサーバ（図示せず）より受信したコンテンツ、メモリカード（後述する図４のメモリカード４６）に記憶されているコンテンツを表示することができる。
【００３６】
また、液晶ディスプレイ１７には、携帯電話機２において受信された地上波ディジタルワンセグ放送波による番組（コンテンツ）を文字放送などとともに表示したり、携帯電話機２において受信された地上波ディジタルワンセグ放送波を録画中である旨（例えば○Ｒマークなど）または視聴中である旨を表示したりすることができる。
【００３７】
さらに、液晶ディスプレイ１７の上部の所定の位置にはスピーカ１８が設けられており、これにより、ユーザは音声通話することが可能である。
【００３８】
また、スピーカ１８の上部の所定の位置には、２つのＬＥＤ（Light Emitting Diode）２０−１と２０−２が設けられており、ＬＥＤ２０−１を点滅あるいは点灯させることで、携帯電話機２において受信された地上波ディジタルワンセグ放送波を録画中である旨または視聴中である旨をユーザに報知したり、ＬＥＤ２０−２を点滅あるいは点灯させることで、ユーザが住む家庭内に設置されたホームサーバ（図示せず）において地上波ディジタルワンセグ放送波または地上波ディジタル放送波を録画中である旨をユーザに報知することができる。勿論、このような場合に限られず、液晶ディスプレイ１７の全画面において地上波ディジタルワンセグ放送波を表示しているときのみ、ＬＥＤ２０−１を点滅または点灯させるようにしてもよい。
【００３９】
また、ＬＥＤ５０−１や５０−２以外のものを用いてユーザに報知するようにしてもよい。
【００４０】
図３は、本発明に係る情報処理装置として適用可能な携帯電話機２の他の外観の構成を表している。図３の携帯電話機２の状態は、図２の携帯電話機２の状態から矢印Ｘ方向に回動させた状態である。なお、図３［Ａ］は、携帯電話機２を閉じたときの正面から見た外観の構成を表しており、図３［Ｂ］は、携帯電話機２を閉じたときの側面から見た外観の構成を表している。
【００４１】
第２の筐体１３の上部には、ＣＣＤカメラ２１が設けられており、これにより、所望の撮影対象を撮像することができる。ＣＣＤカメラ２１の下部には、サブディスプレイ２２が設けられており、現在のアンテナの感度のレベルを示すアンテナピクト、携帯電話機２の現在の電池残量を示す電池ピクト、現在の時刻などが表示される。
【００４２】
サブディスプレイ２２の下部には、さらに、静電タッチパッド２３が設けられる。静電タッチパッド２３は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００４３】
図４は、本発明に係る情報処理装置として適用可能な携帯電話機２の内部の構成を表している。
【００４４】
図４に示されるように、携帯電話機２は、第１の筐体１２及び第２の筐体１３の各部を統括的に制御する主制御部３１に対して、電源回路部３２、操作入力制御部３３、画像エンコーダ３４、カメラインタフェース部３５、ＬＣＤ（Liquid Crystal Display）制御部３６、多重分離部３８、変復調回路部３９、音声コーデック４０、記憶部４７、音楽制御部４８、無線ＬＡＮモジュール４９、地上波ディジタルワンセグ受信部５０、およびＧＰＳ受信部５１がメインバス４１を介して互いに接続されるとともに、画像エンコーダ３４、画像デコーダ３７、多重分離部３８、変復調回路部３９、音声コーデック４０、および記録再生部４５が同期バス４２を介して互いに接続されて構成される。
【００４５】
主制御部３１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４７からＲＡＭにロードされた各種のアプリケーションプログラムに従って各種の処理を実行するとともに、種々の制御信号を生成し、各部に供給することにより携帯電話機２を統括的に制御する。ＲＡＭは、ＣＰＵが各種の処理を実行する上において必要なデータなどを適宜記憶する。
【００４６】
なお、主制御部３１には、現在の日付と時刻を正確に計測するタイマが内蔵されている。
【００４７】
携帯電話機２は、主制御部３１の制御に基づいて、音声通話モード時にマイクロフォン１５で集音した音声信号を音声コーデック４０によってディジタル音声信号に変換、圧縮し、これを変復調回路部３９でスペクトラム拡散処理し、送受信回路部４３でディジタルアナログ変換処理及び周波数変換処理を施した後にアンテナ４４を介して送信する。
【００４８】
また、携帯電話機２は、音声通話モード時にアンテナ４４で受信した受信信号を増幅して周波数変換処理及びアナログディジタル変換処理を施し、変復調回路部３９でスペクトラム逆拡散処理し、音声コーデック４０によって伸張し、アナログ音声信号に変換した後、変換されたアナログ音声信号をスピーカ１８を介して出力する。
【００４９】
さらに、携帯電話機２は、データ通信モード時に電子メールを送信する場合、操作キー１４の操作によって入力された電子メールのテキストデータを操作入力制御部３３を介して主制御部３１に送出する。主制御部３１は、テキストデータを変復調回路部３９でスペクトラム拡散処理し、送受信回路部４３でディジタルアナログ変換処理及び周波数変換処理を施した後にアンテナ４４を介して基地局５へ送信する。
【００５０】
これに対して携帯電話機２は、データ通信モード時に電子メールを受信する場合、アンテナ４４を介して基地局５から受信した受信信号を変復調回路部３９でスペクトラム逆拡散処理して元のテキストデータを復元した後、ＬＣＤ制御部３６を介して液晶ディスプレイ１７に電子メールとして表示する。
【００５１】
その後携帯電話機２は、ユーザの操作に応じて受信した電子メールを記録再生部４５を介してメモリカード４６に記録することも可能である。
【００５２】
携帯電話機２は、画像信号を送信しない場合には、ＣＣＤカメラ２０で撮像した画像信号をカメラインタフェース部４５及びＬＣＤ制御部４６を介して液晶ディスプレイ１７に直接表示する。
【００５３】
携帯電話機２は、データ通信モード時に画像信号を送信する場合、ＣＣＤカメラ２０で撮像された画像信号をカメラインタフェース部３５を介して画像エンコーダ３４に供給する。
【００５４】
画像エンコーダ３４は、ＣＣＤカメラ２０から供給された画像信号を、例えばＭＰＥＧ（Moving Picture Experts Group）４などの所定の符号化方式によって圧縮符号化することにより符号化画像信号に変換し、変換された符号化画像信号を多重分離部３８に送出する。このとき同時に携帯電話機２は、ＣＣＤカメラ２０で撮像中にマイクロフォン１５で集音した音声を音声コーデック４０を介してディジタルの音声信号として多重分離部３８に送出する。
【００５５】
多重分離部３８は、画像エンコーダ３４から供給された符号化画像信号と音声コーデック４０から供給された音声信号とを所定の方式で多重化し、その結果得られる多重化信号を変復調回路部３９でスペクトラム拡散処理し、送受信回路部４３でディジタルアナログ変換処理及び周波数変換処理を施した後にアンテナ４４を介して送信する。
【００５６】
これに対して、携帯電話機２では、データ通信モード時に、Ｗｅｂページのデータを受信することができる。
【００５７】
すなわち、携帯電話機２において、データ通信モードに、例えばＷｅｂページを要求するデータを送信すると、その要求に応じて、Ｗｅｂページのデータが基地局５を介して送信される。このＷｅｂページのデータは、アンテナ４４を介して送受信回路部４３および変復調回路部３９で受信される。送受信回路部４３および変復調回路部３９は、受信したＷｅｂページのデータを主制御部３１に送出する。
【００５８】
主制御部３１は、Ｗｅｂページのデータを解釈し、その解釈に基づく画面（画像）を作成する。作成された画面は、主制御部３１からＬＣＤ制御部３６を介して液晶ディスプレイ１７に供給されて表示される。すなわち、主制御部３１のＲＯＭまたは記憶部４７には、少なくともＷｅｂブラウザのアプリケーションプログラムがインストールされており、主制御部３１のＣＰＵは、ＲＡＭ上でＷｅｂブラウザのアプリケーションプログラムを実行することで、Ｗｅｂブラウザとして機能し、Ｗｅｂページのデータの解釈などを行う。
【００５９】
また、携帯電話機２は、データ通信モード時に例えばＷｅｂページなどにリンクされた動画像ファイルのデータを受信する場合、アンテナ４４を介して基地局５から受信した受信信号を変復調回路部３９でスペクトラム逆拡散処理し、その結果得られる多重化信号を多重分離部３８に送出する。
【００６０】
多重分離部３８は、多重化信号を分離することにより符号化画像信号と音声信号とに分け、同期バス４２を介して符号化画像信号を画像デコーダ３７に供給すると共に音声信号を音声コーデック４０に供給する。画像デコーダ３７は、符号化画像信号をＭＰＥＧ４などの所定の符号化方式に対応した復号化方式でデコードすることにより再生動画像信号を生成し、生成された再生動画像信号をＬＣＤ制御部３６を介して液晶ディスプレイ１７に供給する。これにより、例えば、Ｗｅｂページなどにリンクされた動画像ファイルに含まれる動画像データが表示される。
【００６１】
このとき同時に音声コーデック４０は、音声信号をアナログ音声信号に変換した後、これをスピーカ１８に供給し、これにより、例えば、Ｗｅｂページなどにリンクされた動画像ファイルに含まる音声信号が再生される。この場合も電子メールの場合と同様に携帯電話機２は、受信したＷｅｂページなどにリンクされたデータをユーザの操作により記録再生部４５を介してメモリカード４６に記録することが可能である。
【００６２】
記憶部４７は、例えば、電気的に書換えや消去が可能な不揮発性メモリであるフラッシュメモリ素子やＨＤＤ（Hard Disc Drive）などからなり、主制御部３１のＣＰＵにより実行される種々のアプリケーションプログラムや種々のデータ群を格納している。また、記憶部４７は、必要に応じて、ユーザの操作に応じて受信した電子メールや、受信したＷｅｂページなどにリンクされた動画像ファイルに含まれる動画像データなどを記憶する。
【００６３】
音楽制御部４８は、記憶部４７に記憶されているオーディオデータの再生動作および一時停止動作や、巻戻し機能、早送り機能、音量ダウン動作、音量アップ動作などの実行を制御する。
【００６４】
無線ＬＡＮモジュール４９は、内蔵されたアンテナ（図示せず）を介して、ＩＥＥＥ８０２．１１ａ／ｂ／ｇなどの所定の規格に準拠した無線ＬＡＮ通信を行う。
【００６５】
地上波ディジタルワンセグ放送波５０は、放送局３からの地上波ディジタルワンセグ放送波を受信し、受信された地上波ディジタルワンセグ放送波を多重分離部３８または記憶部４７に供給する。
【００６６】
ＧＰＳ受信部５１は、ＧＰＳ放送局４からのＧＰＳ波（ＧＰＳ情報）を受信する。
【００６７】
次に、図５のフローチャートを参照して、図４の携帯電話機における録画処理について説明する。この録画処理は、ユーザにより操作キー１４が操作されることにより録画処理を開始するとの指示がなされることで、開始される。
【００６８】
ステップＳ１において、主制御部３１は、ユーザにより操作キー１４が操作されることにより録画処理を開始するとの指示がなされたか否かを判定し、ユーザにより操作キー１４が操作されることにより録画処理を開始するとの指示がなされたと判定するまで待機する。
【００６９】
ステップＳ１においてユーザにより操作キー１４が操作されることにより録画処理を開始するとの指示がなされたと判定された場合、主制御部３１はステップＳ２で、ユーザにより操作キー１４が操作されることにより入力された録画条件（録画日、録画する放送チャンネル、録画開始時刻、録画終了時刻などの録画条件）に関する入力データを取得する。
【００７０】
ステップＳ３において、主制御部３１は、取得された録画条件に関する入力データに基づいて録画処理を実行する際の録画条件を設定し、設定された録画条件に関するデータである録画条件設定データを記憶部４７に供給する。
【００７１】
例えば、録画日、録画する放送チャンネル、録画開始時刻、および録画終了時刻として、それぞれ、２００６年１０月２１日、放送チャンネル８、２００６年１０月２１日２１：００、および２００６年１０月２１日２２：００が設定される。
【００７２】
ステップＳ４において、記憶部４７は、主制御部３１から供給された録画条件設定データを取得し、主制御部３１の制御に従い、取得された録画条件設定データを記憶する。
【００７３】
ステップＳ５において、主制御部３１は、ＬＣＤ制御部３６を制御し、録画処理を実行する際に設定する録画指定放送地域の選択を受け付ける録画指定放送地域選択受付画面を液晶ディスプレイ１７に表示させる。液晶ディスプレイ１７は、ＬＣＤ制御部３６の制御に従い、録画処理を実行する際に設定する録画指定放送地域の選択を受け付ける録画指定放送地域選択受付画面を表示する。
【００７４】
例えば図６［Ａ］に示される録画指定放送地域選択受付画面５３は、メッセージ表示欄５４、録画指定放送地域選択受付欄５５、およびコマンド表示欄５６を有する。
【００７５】
図６［Ａ］の例の場合、メッセージ表示欄５４には、メッセージとして「録画指定放送地域を選択してください。」が表示される。これにより、ユーザは、これ以降の処理により録画指定放送地域を選択することができることが分かる。
【００７６】
録画指定放送地域選択受付欄５５は、録画処理を実行する際に設定する録画指定放送地域の選択を受け付けるための選択受付欄である。例えば図６［Ａ］の場合、録画指定放送地域選択受付欄５５には、選択が受け付けられる録画指定放送地域として「東京都（現在地）」、「埼玉県」、「千葉県」、および「神奈川県」が表示されており、現在の放送地域である例えば「東京都（現在地）」がフォーカスされている。また、録画指定放送地域選択受付欄５５の右端にはスクロールバーが設けられている。これにより、ユーザは、現在、録画指定放送地域選択受付欄５５に表示されている「東京都」、「埼玉県」、「千葉県」、および「神奈川県」以外の録画指定放送地域を選択することができる。
【００７７】
なお、現在の放送地域（例えば「東京都」）がどの放送地域であるかを判定する際には、ＧＰＳ受信部５１を用いてＧＰＳ放送局４から受信されたＧＰＳ波（ＧＰＳ情報）に基づいて、現在の放送地域を判定する。勿論、これ以外の方法を用いて現在の放送地域を判定するようにしてもよい。
【００７８】
コマンド表示欄５６は、「ＯＫ」というコマンドのアイコンを有している。ユーザは、操作キー１４を操作することにより、コマンド表示欄５６の「ＯＫ」のコマンドアイコンを選択し、録画指定放送地域選択受付処理により選択が受け付けられる録画指定放送地域を確定し、その後、録画指定放送地域設定処理を実行させることができる。
【００７９】
なお、録画指定放送地域をユーザに選択させる場合に録画指定放送地域選択受付画面を用いるようにしたが、このような場合に限られず、例えば地図などを用いてユーザにより選択させるようにしてもよい。また、録画指定放送地域を複数設定するようにした場合、設定された複数の録画指定放送地域に重み付けを行い、優先順位を付けるようにしてもよい。さらに、図６[Ａ]に示されるように、現在の受信地を例えば「東京都（現在地）」という選択肢をデフォルトとして用いるように（例えば端末の現在地が大阪府である場合は「大阪府（現在地）」とする）してもよい。
【００８０】
ステップＳ６において、主制御部３１は、ユーザにより操作キー１４が操作されることにより、録画指定放送地域選択受付画面上において録画指定放送地域の選択が受け付けられたか否かを判定する。
【００８１】
例えば図６［Ａ］の場合、ユーザにより操作キー１４が操作されることにより、録画指定放送地域選択受付欄の右端のスクロールバーが操作されることで、録画指定放送地域として「東京都（現在地）」の選択が受け付けられた後、コマンド表示欄５６の「ＯＫ」のコマンドアイコンの選択が受け付けられると、録画指定放送地域選択受付画面上において録画指定放送地域（「東京都(現在地)」）の選択が受け付けられたと判定される。
【００８２】
ステップＳ６において録画指定放送地域選択受付画面上において録画指定放送地域の選択が受け付けられたと判定された場合、主制御部３１はステップＳ７で、録画指定放送地域選択受付画面上において選択が受け付けられた録画指定放送地域（例えば「東京都」など）に基づいて、録画指定放送地域を設定し、設定された録画指定放送地域に関するデータである録画指定放送地域設定データを記憶部４７に供給する。この録画指定放送地域設定データには、設定された録画指定放送地域に関するデータなどが含まれている。
【００８３】
ステップＳ８において、記憶部４７は、主制御部３１から供給された録画指定放送地域設定データを取得し、主制御部３１の制御に従い、取得された録画指定放送地域設定データを記憶する。
【００８４】
一方、ステップＳ６において録画指定放送地域選択受付画面上において録画指定放送地域の選択が受け付けられていないと判定された場合、主制御部３１はステップＳ９で、録画指定放送地域選択受付画面上において録画指定放送地域の自動選択が受け付けられたか否かを判定する。
【００８５】
具体的には、例えば図６［Ｂ］に示されるように、ユーザにより操作キー１４が操作されることにより、録画指定放送地域選択受付欄の右端のスクロールバーが操作されることで、録画指定放送地域として「自動選択」の選択が受け付けられた後、コマンド表示欄５６の「ＯＫ」のコマンドアイコンの選択が受け付けられると、録画指定放送地域選択受付画面上において録画指定放送地域の自動選択が受け付けられたと判定される。
【００８６】
ステップＳ９において録画指定放送地域選択受付画面上において録画指定放送地域の自動選択が受け付けられたと判定された場合、主制御部３１はステップＳ１０で、選択が受け付けられた録画指定放送地域の自動選択に基づいて、録画指定放送地域を自動選択に設定し、設定された録画指定放送地域の自動選択に関するデータである録画指定放送地域自動選択設定データを記憶部４７に供給する。この録画指定放送地域自動選択設定データには、録画指定放送地域の自動選択が設定されたことを示すデータなどが含まれている。
【００８７】
ステップＳ１１において、記憶部４７は、主制御部３１から供給された録画指定放送地域自動選択設定データを取得し、取得された録画指定放送地域自動選択設定データを記憶する。
【００８８】
ステップＳ９において録画指定放送地域選択受付画面上において録画指定放送地域の自動選択が受け付けられていないと判定された場合、処理はステップＳ６に戻り、その後、ステップＳ６以降の処理が同様に繰り返される。
【００８９】
ステップＳ１２において、主制御部３１は、内蔵されたタイマを用いて、記憶部４７に記憶されている録画条件設定データに含まれる録画開始時刻になったか否かを判定し、記憶部４７に記憶されている録画条件設定データに含まれる録画開始時刻になったと判定するまで待機する。
【００９０】
ステップＳ１２において記憶部４７に記憶されている録画条件設定データに含まれる録画開始時刻になったと判定された場合、主制御部３１はステップＳ１３で、放送局３からの地上波ディジタルワンセグ放送波の受信を開始するため、地上波ディジタルワンセグ受信部５０を起動する。
【００９１】
ステップＳ１４において、主制御部３１は、予め設定された所定の時間ごとに、放送局３からの地上波ディジタルワンセグ放送波を受信できたか否かを判定する。勿論、断続的に、放送局３からの地上波ディジタルワンセグ放送波を受信できたか否かを判定するようにしてもよい。
【００９２】
ステップＳ１４において放送局３からの地上波ディジタルワンセグ放送波を受信できたかと判定された場合、主制御部３１は、受信された地上ディジタルワンセグ放送波を取得し、取得された地上波ディジタルワンセグ放送波を記憶部４７に録画（記録）させる。記憶部４７は、主制御部３１の制御に従い、取得された地上波ディジタルワンセグ放送波を記憶部４７に録画（記録）する。勿論、地上波ディジタルワンセグ放送波を録画（記録）させる場合、種々の圧縮方法を用いて録画（記録）するようにしてもよい。
【００９３】
ステップＳ１６において、主制御部３１は、記憶部４７に記憶されている録画条件設定データに含まれる録画終了時刻になったか否かを判定する。ステップＳ１６において記憶部４７に記憶されている録画条件設定データに含まれる録画終了時刻になっていないと判定された場合、処理はステップＳ１４に戻り、その後、ステップＳ１４以降の処理が繰り返される。これにより、録画開始時刻から録画終了時刻までの所望の放送チャンネルの地上波ディジタルワンセグ放送波を録画することができる。
【００９４】
ステップＳ１６において記憶部４７に記憶されている録画条件設定データに含まれる録画終了時刻になったと判定された場合、主制御部３１はステップＳ１７で、地上波ディジタルワンセグ受信部５０を制御し、録画処理を終了する。
【００９５】
一方、ステップＳ１４において放送局３からの地上波ディジタルワンセグ放送波を受信することができなかったと判定された場合、主制御部３１はステップＳ１８で、記憶部４７に記憶されている録画指定放送地域設定データまたは録画指定放送地域自動選択設定データに基づいて、録画指定放送地域が設定されているか否かを判定する。すなわち、記憶部４７に録画指定放送地域設定データが記憶されている場合、録画指定放送地域（例えば「東京都」など）が設定されていると判定される。一方、記憶部４７に録画指定放送地域自動選択設定データが記憶されている場合、録画指定放送地域が設定されていないと判定される。
【００９６】
ステップＳ１８において録画指定放送地域が設定されていないと判定された場合、主制御部３１はステップＳ１９で、地上波ディジタルワンセグ受信部５０またはＧＰＳ受信部５１を制御し、放送チャンネルをサーチする。放送チャンネルのサーチに際し、例えば特開２００６−１０８７３７号公報や特開２００６−２００１０号公報に記載されている技術などを用いる。
【００９７】
ステップＳ２０において、主制御部３１は、内蔵されたタイマを用いて、予め設定された所定の時間（例えば３秒間など）が経過したか否かを判定する。ステップＳ２０において予め設定された所定の時間（例えば３秒間など）が経過していないと判定された場合、処理はステップＳ１４に戻り、ステップＳ１４において放送局３からの地上波ディジタルワンセグ放送波を受信できたか否かが判定される。
【００９８】
ステップＳ２０において予め設定された所定の時間（例えば３秒間など）が経過したと判定された場合、主制御部３１はステップＳ２１で、ＬＣＤ制御部３６を制御し、放送局３からの地上波ディジタルワンセグ放送波の受信に失敗したことを示す録画時受信失敗ダイアログを液晶ディスプレイ１７に表示させる。液晶ディスプレイ１７は、ＬＣＤ制御部３６の制御に従い、放送局３からの地上波ディジタルワンセグ放送波の受信に失敗したことを示す録画時受信失敗ダイアログを表示する。
【００９９】
例えば図６［Ｃ］に示される録画時受信失敗ダイアログ５７は、メッセージ表示欄５８を有する。
【０１００】
図６［Ｃ］の例の場合、メッセージ表示欄５８には、メッセージとして「放送波の受信に失敗しました。」が表示される。これにより、ユーザは、放送局３からの地上波ディジタルワンセグ放送波の受信に失敗したことが分かる。
【０１０１】
勿論、ユーザに放送局３からの地上波ディジタルワンセグ放送波の受信に失敗したことを報知する場合、このようなダイアログを用いず、種々のアラーム表示を用いて報知するようにしてもよい。
【０１０２】
その後、処理はステップＳ１４に進み、ステップＳ１４以降の処理が同様に繰り返され、予め設定されて記憶されている録画終了時刻になるまで地上波ディジタルワンセグ放送波が受信されて録画（記録）される。
【０１０３】
一方、ステップＳ１８において録画指定放送地域（例えば「東京都」など）が設定されていると判定された場合、ステップＳ１９乃至Ｓ２０の処理はスキップされる。その後、処理はステップＳ２１に進み、ステップＳ２１において録画時受信失敗ダイアログが表示される。
【０１０４】
すなわち、録画指定放送地域（例えば「東京都」など）が設定されている場合には、放送チャンネルのサーチを行わず、設定された録画指定放送地域の放送チャンネルのままで、予め設定された所定の時間ごとに、放送局３からの地上波ディジタルワンセグ放送波を受信できたか否かが判定される。これにより、異なる放送地域の移動ではなく、例えば同一の放送地域内の移動により一時的に地上波ディジタルワンセグ放送波を受信することができなくても、放送チャンネルのサーチを行わないようにし、放送チャンネルのサーチ処理を繰り返すことを防止することができる。
【０１０５】
本発明の実施形態においては、地上波ディジタルワンセグ放送波を録画する際の録画指定放送地域（例えば「東京都」など）を設定するとともに、放送局３からの地上波ディジタルワンセグ放送波を受信できなかったと判定された場合、地上波ディジタルワンセグ放送波を録画する際の録画指定放送地域（例えば「東京都」など）が設定されているか否かを判定し、地上波ディジタルワンセグ放送波を録画する際の録画指定放送地域（例えば「東京都」など）が設定されていると判定された場合、放送チャンネルのサーチを行わないようにしたので、例えば同一の放送地域内の移動により一時的に地上波ディジタルワンセグ放送波を受信することができなかったような場合に、放送チャンネルのサーチを無駄に行わないようにすることができ、放送チャンネルのサーチを好適に行うことができる。これにより、地上波ディジタルワンセグ放送波を受信することができない場合に、放送チャンネルのサーチを無駄に繰り返し行うことを防止することができ、無駄な電池の消耗を防止することができる。
【０１０６】
従って、携帯電話機１における地上波ディジタルワンセグ放送波の録画（記録）を効率的に行うことができる。その結果、携帯電話機１において地上波ディジタルワンセグ放送波を録画（記録）する場合における利便性を向上させることができる。
【０１０７】
ところで、録画処理を実行中に地上波ディジタルワンセグ放送波を受信することができなかった場合、受信に失敗したことに関するデータである受信失敗データを記憶しておき、録画された地上波ディジタルワンセグ放送波を視聴（再生）する際に、記憶されている受信失敗データに基づいて視聴時受信失敗ダイアログを表示するようにしてもよい。以下、この方法を用いた携帯電話機２における録画処理について説明する。
【０１０８】
図７のフローチャートを参照して、図４の携帯電話機２における録画処理について説明する。なお、図７のステップＳ３１乃至Ｓ５０、およびステップＳ５３の処理は、図５のステップＳ１乃至Ｓ２１の処理と同様であり、その説明は繰り返しになるので省略する。
【０１０９】
ステップＳ４８において録画指定放送地域が設定されていると判定された後、ステップＳ４９乃至Ｓ５０の処理がスキップされた場合、あるいは、ステップＳ５０において予め設定された所定の時間が経過したと判定された場合、ステップＳ５１において、主制御部３１は、放送局３からの地上波ディジタルワンセグ放送波の受信に失敗したことに関するデータである受信失敗データを生成する。この受信失敗データには、例えば放送チャンネル（例えばＣＨ４など）に関するデータ、受信に失敗した時間である受信失敗時間（例えば２００６年１０月２１日２１：１１：３２〜２１：１４：３０など）に関するデータなどが含まれている。
【０１１０】
主制御部３１は、生成された受信失敗データを記憶部４７に供給する。
【０１１１】
ステップＳ５２において、記憶部４７は、主制御部３１から供給された受信失敗データを取得し、主制御部３１の制御に従い、取得された受信失敗データを記憶する。
【０１１２】
これにより、地上波ディジタルワンセグ放送波を受信することができなかった場合に、放送局３からの地上波ディジタルワンセグ放送波の受信に失敗したことに関するデータである受信失敗データを生成し、記憶することができる。
【０１１３】
その後、処理はステップＳ５３に進み、ステップＳ５３において録画時受信失敗ダイアログが表示される。
【０１１４】
そして、ユーザにより操作キー１４が操作されることにより録画された地上波ディジタルワンセグ放送波の視聴処理（再生処理）の開始が指示されると、録画された地上波ディジタルワンセグ放送波の視聴処理が実行される。このとき、録画された地上波ディジタルワンセグ放送波を再生する場合に、適宜、記憶されている受信失敗データに基づいて視聴時受信失敗ダイアログが表示される。
【０１１５】
例えば図６［Ｄ］に示される視聴時受信失敗ダイアログ５９は、メッセージ表示欄６０を有する。
【０１１６】
図６［Ｄ］の例の場合、メッセージ表示欄６０には、メッセージとして「チャンネル：ＣＨ４  受信失敗時間：２００６年１０月２１日２１：１１：３２〜２１：１４：３０  放送波を受信できませんでした。」が表示される。これにより、ユーザは、放送チャンネルがＣＨ４で、かつ、２００６年１０月２１日２１：１１：３２〜２１：１４：３０において、放送局３からの地上波ディジタルワンセグ放送波の受信に失敗したことが分かる。
【０１１７】
なお、この視聴時受信失敗ダイアログを液晶ディスプレイ１７に表示する際には、視聴（再生）するはずの地上波ディジタルワンセグ放送波が録画（記録）されていないことから、ミュートとなる。
【０１１８】
本発明の実施形態においては、地上波ディジタルワンセグ放送波を録画する際の録画指定放送地域（例えば「東京都」など）を設定するとともに、すなわち、放送局３からの地上波ディジタルワンセグ放送波を受信できなかったと判定された場合、地上波ディジタルワンセグ放送波を録画する際の録画指定放送地域（例えば「東京都」など）が設定されているか否かを判定し、地上波ディジタルワンセグ放送波を録画する際の録画指定放送地域（例えば「東京都」など）が設定されていると判定された場合、放送チャンネルのサーチを行わないようにしたので、例えば同一の放送地域内の移動により一時的に地上波ディジタルワンセグ放送波を受信することができなかったような場合に、放送チャンネルのサーチを無駄に行わないようにし、放送チャンネルのサーチを好適に行うことができる。これにより、地上波ディジタルワンセグ放送波を受信することができない場合に、放送チャンネルのサーチを繰り返し行うことを防止することができ、無駄な電池の消耗を防止することができる。
【０１１９】
また、録画処理中に地上波ディジタルワンセグ放送波を受信することができなかった場合、放送局３からの地上波ディジタルワンセグ放送波の受信に失敗したことに関するデータである受信失敗データを生成し、生成された受信失敗データを記憶するとともに、録画された地上波ディジタルワンセグ放送波の視聴処理を実行する際に、適宜、記憶されている受信失敗データに基づいて視聴時受信失敗ダイアログを表示するようにしたので、ユーザに、録画処理中に地上波ディジタルワンセグ放送波を受信することができなかったことや、その放送チャンネル、受信失敗時間などを報知することができる。
【０１２０】
従って、携帯電話機１における地上波ディジタルワンセグ放送波の録画（記録）を効率的に行うことができる。その結果、携帯電話機１において地上波ディジタルワンセグ放送波を録画（記録）する場合における利便性をより向上させることができる。
【０１２１】
なお、本発明の実施形態においては、本発明を、地上波ディジタルワンセグ放送波を録画する際に適用するようにしたが、このような場合に限られず、例えば地上波ディジタル放送波を録画する際や地上波ディジタル３セグメントラジオ放送波を録音する際など他の方式の記録の際にも適用することができる。
【０１２２】
また、本発明の実施形態において用いられる録画指定放送地域を「指定放送地域」と定義する。
【０１２３】
なお、本発明は、携帯電話機２以外にも、ＰＤＡ（Personal Digital Assistant）、パーソナルコンピュータ、携帯型ゲーム機、携帯型音楽再生機、携帯型動画再生機、その他の情報処理装置にも適用することができる。
【０１２４】
また、本発明の実施形態において説明した一連の処理は、ソフトウェアにより実行させることもできるが、ハードウェアにより実行させることもできる。
【０１２５】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１２６】
【図１】本発明に係るネットワークシステムの全体の構成を示す図。
【図２】本発明に係る情報処理装置に適用可能な携帯電話機の外観の構成を示す外観図。
【図３】本発明に係る情報処理装置に適用可能な携帯電話機の他の外観の構成を示す外観図。
【図４】本発明に係る情報処理装置に適用可能な携帯電話機の内部の構成を示すブロック図。
【図５】図４の携帯電話機における録画処理を説明するフローチャート。
【図６】図４の液晶ディスプレイに表示される表示例を示す図。
【図７】図４の携帯電話機における他の録画処理を説明するフローチャート。
【符号の説明】
【０１２７】
１…ネットワークシステム、２…携帯電話機、３…放送局、４…ＧＰＳ放送局、５…基地局、６…公衆回線網、７…アクセスサーバ、８…ネットワーク、９…無線ＬＡＮ、１０…アクセスポイント、１１…ヒンジ、１２…第１の筐体、１３…第２の筐体、１４…操作キー、１５…マイクロフォン、１６…サイドキー、１７…液晶ディスプレイ、１８…スピーカ、１９a乃至１９d…磁気センサ、２０（２０−１乃至２０−２）…ＬＥＤ、２１…ＣＣＤカメラ、２２…サブディスプレイ、２３…静電タッチパッド、３１…主制御部、３２…電源回路部、３３…操作入力制御部、３４…画像エンコーダ、３５…カメラI/F部、３６…ＬＣＤ制御部、３７…画像デコーダ、３８…多重分離部、３９…変復調回路部、４０…音声コーデック、４１…メインバス、４２…同期バス、４３…送受信回路部、４４…アンテナ、４５…記録再生部、４６…メモリカード、４７…記憶部、４８…音楽制御部、４９…無線ＬＡＮモジュール、５０…地上波ディジタルワンセグ受信部、５１…ＧＰＳ受信部。
【図１】
2008124744.tif 000003
【図２】
2008124744.tif 000004
【図３】
2008124744.tif 000005
【図４】
2008124744.tif 000006
【図５】
2008124744.tif 000007
【図６】
2008124744.tif 000008
【図７】
2008124744.tif 000009